(57)【要約】【課題】構造が簡単で、しかも非常時には、コインやドライバ等の特別の工具がない場合でも、簡単に解錠できる錠の非常解錠装置【解決手段】室内側で操作部材を操作することにより同軸の回動シャフト１３を回動してラッチボルトや鎌１１錠等の施錠部材の施錠解錠を行なう錠において、前記回動シャフト１３の室外側の端部に回動自在に回動体１７を取り付けるとともに、この回動体１７の外面には指掛け用凹部２２とつまみ部２３が解錠施錠操作可能に設けられている。【選択図】図３
2005048428.tif 000002
【特許請求の範囲】
【請求項１】
室内側で操作部材を操作することにより同軸の回動シャフトを回動してラッチボルトや鎌錠等の施錠部材の施錠解錠を行なう錠において、前記回動シャフトの室外側の端部に回動自在に回動体を取り付けるとともに、この回動体の外面には指掛け用凹部とつまみ部が解錠施錠操作可能に設けられていることを特徴とする錠の非常解錠装置。
【請求項２】
前記つまみ部は、前記凹部の内部に形成されているとともに、つまみ部にはすり割り部が形成されている、請求項１記載の錠の非常解錠装置。
【請求項３】
室外側に設けた回動体にコイン、ドライバ等を係合可能なすり割り部を形成し、このすり割り部をコイン、ドライバ等で回動することにより、前記回動体を設けた回動シャフトを回動してラッチボルトや鎌等の施錠部材の施錠解錠を行なう非常解錠装置において、前記回動体のすり割り部の近傍に非常解錠用の指掛け用凹部とつまみ部が解錠操作可能に設けられていることを特徴とする錠の非常解錠装置。
【請求項４】
前記すり割り部は前記つまみ部に形成されている、請求項３記載の錠装置の非常解錠装置。
【請求項５】
前記回動体を、前記回動シャフトの室外側に設けることに代え、前記回動シャフトの室内側および室外側に設けた、請求項２又は３に記載の錠の非常解錠装置。
【請求項６】
前記施錠部材が、２枚引き、３枚引き等の複数の障子のうち戸尻側の障子と枠体との間に設けられている、請求項１又は３に記載の錠の非常解錠装置。
【発明の詳細な説明】
【技術分野】
【０００１】
本発明は、非常時に錠を簡単に解錠できるようにした錠の非常解錠装置に関するものである。
【背景技術】
【０００２】
一般に、家庭のトイレや浴室の戸、障子にも錠が取り付けられ、室内側から施錠解錠できるようになっている。
【０００３】
ところが、トイレや浴室の内側で急に倒れたり、動けなくなったりしたときに、室内側からしか解錠できないのでは、問題がある。
【０００４】
そこで、従来は、緊急時には室外側からも解錠できるようなものが提案されている。例えば、ラッチボルトやデッドボルト等の施錠部材の回動シャフトの室外側に回動部材を取り付け、回動部材に指掛け部を設けたり、すり割り部を設けたりすることにより、非常時には指掛け部に指を掛け、あるいはすり割り部の割り溝にコインやドライバを係合させて回動シャフトを回転させ、これによって解錠することができるようにしたものが知られている（特許文献１）。
【０００５】
しかしながら、ラッチボルトやデッドボルト等の施錠部材の回動シャフトの室外側に簡単に解錠できる指掛け部や割り溝が形成されているのであれば、そもそも室内側から施錠する意味があまりないだけでなく、指で回動する部材とコイン等で回動する部材を別個に設けることになるので、部品点数が増え、構造も複雑になるという欠点があった。
【０００６】
また、同じ施錠部材を室内側と室外側とから操作可能としたものであるから、何らかの衝撃や不測の事故によって施錠部材自体が動かなくなったときは、室内、室外のどちらからも操作できないという問題がある。
【特許文献１】特開平１０−８２２２６号公報
【発明の開示】
【発明が解決しようとする課題】
【０００７】
本発明は上記欠点を解消し、構造が簡単で、しかも非常時には、コインやドライバ等の特別の工具がない場合でも、簡単に解錠できる錠の非常解錠装置を提供することをその課題とする。
【課題を解決するための手段】
【０００８】
上記課題を解決するため、本発明は、室内側で操作部材を操作することにより同軸の回動シャフトを回動してラッチボルトや鎌錠等の施錠部材の施錠解錠を行なう錠において、前記回動シャフトの室外側の端部に回動自在に回動体を取り付けるとともに、この回動体の外面には指掛け用凹部とつまみ部が解錠施錠操作可能に設けられていることを特徴とする。
【０００９】
なお、前記つまみ部は、前記凹部の内部に形成されているとともに、つまみ部にはすり割り部が形成されているのが好ましい。
【００１０】
また、本発明は、室外側に設けた回動体にコイン、ドライバ等を係合可能なすり割り部を形成し、このすり割り部をコイン、ドライバ等で回動することにより、前記回動体を設けた回動シャフトを回動してラッチボルトや鎌等の施錠部材の施錠解錠を行なう非常解錠装置において、前記回動体のすり割り部の近傍に非常解錠用の指掛け用凹部とつまみ部が解錠操作可能に設けられていることを特徴とする。
【００１１】
なお、前記すり割り部は前記つまみ部に形成されているのがよい。
【００１２】
また、前記回動体を、前記回動シャフトの室外側に設けることに代え、前記回動シャフトの室内側および室外側に設けるようにしてもよい。
【００１３】
さらに、前記施錠部材は、２枚引き、３枚引き等の複数の障子のうち戸尻側の障子と枠体との間に設けられているのが望ましい。
【発明の効果】
【００１４】
請求項１に係る発明によれば、回動体に指掛け用凹部とつまみ部が設けられているので、構造が簡単で、しかも非常時には、コインやドライバ等の特別の工具がない場合でも、簡単に解錠できるという利点がある。
【００１５】
請求項２に係る発明によれば、指で回すのに力が足りないときは、すり割り部をコイン、ドライバ等で回動することにより施錠解錠を行なうことができる。
【００１６】
請求項３に係る発明によれば、コインやドライバがないときは、つまみ部をつまんで手で解錠操作することができる。
【００１７】
請求項４に係る発明によれば、すり割り部はつまみ部に形成されているので、構造を非常に単純化することができる。
【００１８】
請求項５に係る発明によれば、回動体は室内側にも室外側にも設けられているので、解錠操作は室内側からでも室外側からでも行なうことができる。
【００１９】
請求項６に係る発明によれば、施錠部材を戸尻側の障子と枠体との間に設ける構成としたので、もしも、何らかの衝撃や不測の事故によって戸先側の錠自体が動かなくなったときでも、戸尻側の錠を解錠操作して開放することができるので、万が一の場合にも対応できるという利点がある。
【実施例１】
【００２０】
図１は本発明装置を浴室三枚引き戸に適用した場合の例で、開いた状態の横断面図であり、図２は閉じた状態の横断面図である。ａは浴室、ｂは脱衣室である。
【００２１】
図１および図２において、符号１ａは左右の縦枠を示す。この縦枠１ａと図示しない上枠と下枠１ｂとによって浴室の開口部２が形成されている。
【００２２】
次に、３は戸先側の障子、４は中央の障子、５は戸尻側の障子をそれぞれ示す。これらの障子３、４、５は上枠に吊るタイプのものでも、下枠１ｂのレールを走行するタイプのものでもよい。戸先側の障子３の戸先框３ａには開閉用のハンドル７が取り付けられている。また、上記戸先框３ａの脱衣室ｂ側には凸部６が形成されている。さらに、障子３の戸尻框３ｂと障子４の戸先框４ａ、障子４の戸尻框４ｂと障子５の戸先框５ａの召し合せ部には、互いに係合可能な係合部８、９が形成されている。
【００２３】
上記構成によれば、開口部２を開放するときは、戸先側の障子３をハンドル７を持って戸尻側に引くと、その戸先框３ａの凸部６が中央の障子４の戸先框４ａの先端に係合するので、それ以上戸尻側に引くと、戸先側の障子３と中央の障子４が同時に移動し、最終的には図１に示される開放状態となる。
【００２４】
これに対し、開放状態から開口部２を閉じるときは、戸先側の障子３をハンドル７を持って戸先側に引くと、その戸尻框３ｂの召し合せ部の係合部８が中央の障子４の戸先框４ａの召し合せ部の係合部９に係合するので、それ以上戸先側に引くと、戸先側の障子３と中央の障子４が同時に移動し、最終的には図２に示される閉止状態となる。したがって、戸尻側の障子５は開放時も閉止時も同じ状態に保持される。
【００２５】
ところで、戸先側の障子３の戸先框３ａと縦枠１ａおよび戸尻側の障子５の戸尻框５ｂと縦枠１ａとの間には鎌錠Ａ、Ｂが設けられている（図２参照）。
【００２６】
説明の都合上、戸尻側の障子の鎌錠Ｂから説明すると、図３および図４に示されるように、戸尻側障子５の戸尻框５ｂの内側には錠ケース１０が固定され、錠ケース１０の内部には鎌１１が回動自在で、上記戸尻框５ｂに形成された開口部１６から戸尻側に突出可能に取り付けられている。この鎌１１は錠ケース１０を室内外方向に貫通した長円形の回動シャフト１３に支持され、該回動シャフト１３と同時に同方向に回転する。この回動シャフト１３の室外側および室内側の外端部には回動体１７が取り付けられている。この回動体１７は、上記戸尻框の室外側に操作可能に露出している。これに対応し、縦枠１ａには、錠受け金具１５が固定されている。この錠受け金具１５にも上記鎌１１が飛び込んで係止可能な係止部１６が形成されている。
【００２７】
上記鎌錠Ａにおいて、鎌と一体に回動する回動シャフトの室外側および室内側の外端部には回動体１７が取り付けられている。この回動体１７は、上記戸尻框の室外側に操作可能に露出している。
【００２８】
ところで、室内側の回動体１７は図５（ａ）（ｂ）に示されるように、円盤形の本体１７ａとこの本体１７ａの裏面の中央から突出形成された角筒状のシャフト部１８とから構成され、シャフト部１８の中間部には係止口１９が形成されている。また、室外側の回動体１７は図６（ａ）（ｂ）に示されるように、円盤形の本体１７ａとこの本体１７ａの裏面の中央から突出形成された角筒状の脚部２０とから構成され、脚部２０の中間部には係止顎２１が形成されている。脚部２０の断面は、鎌１１の中央の長円形の穴２１（図４参照）と嵌まり合うように形成されている。そして、図３に示されるように、室外側の回動体１７の脚部２０を室内側の回動体１７のシャフト部１８の内側に嵌合し、係止顎２１を係止口１９に係止させることにより一体に結合されている。この結合により、上記シャフト部１８は上記鎌１１の回動シャフト１３として、鎌１１の中央部の長円形の穴２１を貫通する。
【００２９】
次に、室内側および室外側の回動体１７の本体１７ａの外面には、図５（ａ）（ｂ）および図６（ａ）（ｂ）に示されるように、指掛け用凹部２２とつまみ部２３が解錠施錠操作可能に設けられている。つまり、上記本体１７ａ外面の周縁部２４の内側には、人の親指又は人差し指が入る程度の凹部２２が形成されている。凹部２２は両端が浅く中央が深いものでも、全体が同じ深さのものでもよい。そして、この凹部２２の内部には、周縁部２４と直径方向に、周縁部２４と同じ高さのつまみ部２３が形成されている。つまみ部２３の中央にはコインやドライバが係合する程度のすり割り部２５が形成されている。
【００３０】
上記構成によれば、回動体１７を回すと、回動シャフト１３が回動するから、鎌１１を錠受け金具１５に係止させたり、係止解除させたりして施錠解錠操作が可能となる。回動体１７の回動操作は、つまみ部２３を直接に指で摘んで行なってもよく、すり割り部２５にコインやドライバを係合させて回してもよい。戸尻側の障子５は通常は開閉しないので、施錠しておけばよい。この場合も、回動シャフト１３とともに錠を回動させ、鎌１１を縦枠の錠受け金具１５に係止させて施錠することができる。解錠するときは、回動体１７を反対側に回せばよい。
【００３１】
また、図７に示されるように、戸尻框５ｂと縦枠１ａとの間にも同じ構成の鎌錠Ａが設けられている。この錠構成は図３および図４に示すものと同じなので、説明は省略する。
【００３２】
上記構成によれば、浴室開口部２を閉じた後、サムターン１４を回動操作することにより、これと一体に形成された回動シャフト１３を回動させて鎌１１を回動させ、鎌１１を縦枠の錠受け金具１５に係止させて施錠することができる。
【００３３】
逆に、施錠状態にあるときにサムターン１４を反対側に回動操作すれば、鎌１１の係止が解除されて解錠することができる。
【００３４】
上述のように、通常の出入りのときは、浴室内側から戸先側の鎌錠Ａを施錠解錠操作をすればよい。非常時には、回動体１７によって戸尻側の鎌錠Ｂの回動体１７を回動することにより、簡単に解錠することができる。回動体１７を回動させるには、つまみ部２３を摘んで手で回動させても、あるいはコインやドライバをすり割部３５に係合させて回してもよい。
【００３５】
また、回動体１７は室内側にも室外側にも設けられているので、解錠操作は室内側からでも室外側からでも行なうことができる。
【００３６】
さらに、戸尻側にも錠と解錠装置が設けられているので、もしも、何らかの衝撃や不測の事故によって戸先側の錠自体が動かなくなったときでも、戸尻側の錠を解錠操作して開放することができるので、万が一の場合にも対応できるという利点がある。
【００３７】
なお、錠は上述の鎌錠に限定されない。回動シャフトを回動させて施錠解錠操作できるものであれば、ラッチボルト等他の施錠部材を用いるものでもよい。
【００３８】
また、つまみ部には必ずしもすり割りが形成されている必要はない。この場合は、指で回動体を回せばよい。
【００３９】
同様に、障子は３枚引きである必要はない。複数の引き戸構成であればよい。また、障子の代わりにドアであってもよい。
【図面の簡単な説明】
【００４０】
【図１】本発明装置を浴室三枚引き戸に適用した場合の例で、開いた状態の横断面図である。
【図２】上記障子を閉じた状態の横断面図である。
【図３】図２の戸尻側の障子の縦框と縦枠部分の拡大図である。
【図４】図３のＸ−Ｘ線上の断面図である。
【図５】（ａ）（ｂ）はそれぞれ室内側の回動体の平面図と縦断面図である。
【図６】（ａ）（ｂ）はそれぞれ室外側の回動体の平面図と縦断面図である。
【図７】図２の戸先側の障子の縦框と縦枠部分の拡大図である。
【符号の説明】
【００４１】
１３    回動シャフト
１７    回動体
２２    凹部
２３    つまみ部
２５    すり割り部
【図１】
2005048428.tif 000003
【図２】
2005048428.tif 000004
【図３】
2005048428.tif 000005
【図４】
2005048428.tif 000006
【図５】
2005048428.tif 000007
【図６】
2005048428.tif 000008
【図７】
2005048428.tif 000009